【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  内面と外面とを有し略矩形の前庭シールドを備えユーザの口腔に気体を搬送するマウスピースであって、
前記前庭シールドが、ユーザの口腔前庭に位置決めされたときにユーザの歯および歯肉と重複するような所定高さを有し、
前記前庭シールドが、
前記前庭シールドの中央部分がユーザの唇と歯との間に位置決めされたときにユーザの前歯と歯肉を覆って延びる中央部分と、
該記中央部分から延び、前記前庭シールドの外側部分がユーザの頬と歯との間に位置決めされたときにユーザの後方歯および歯肉の少なくとも一部に沿って延在しこれと重複する外側部分とを有し、
前記マウスピースが、前記前庭シールドの外面から前記前庭シールドの内面まで延び、前記マウスピースを通って気体が通過するのを許容する気体通路手段を備え、
前記前庭シールドが、使用中、ユーザの口の唇および／または頬の内壁をシールする、
ことを特徴とするマウスピース。
【請求項２】  前記前庭シールドの中央部分の内面に設けられた隆起部分を更に有し、
該突出部分は、前記前庭シールドがユーザの口の中に配置されたときにユーザの歯に接触するだけである、
請求項１に記載のマウスピース。
【請求項３】  前記隆起部分が、ほぼ平坦にされた楕円形状を有する、
請求項２に記載のマウスピース。
【請求項４】  前記隆起部分が、前記外側部分の少なくとも一部分に沿って延びている、
請求項２または３に記載のマウスピース。
【請求項５】  前記中央部分が、上縁に設けられた中央配置ノッチを備えている、
請求項２または３に記載のマウスピース。
【請求項６】  前記中央部分の下縁に設けられた中央配置ノッチを更に備えている、
請求項５に記載のマウスピース。
【請求項７】  前記前庭シールドが、概略的に湾曲した形状を有する、
請求項１ないし６の何れか１項に記載のマウスピース。
【請求項８】  前記気体通路手段が、前記マウスピースを気体供給装置に接続する気体入口手段を備えている、
請求項１ないし７の何れか１項に記載のマウスピース。
【請求項９】  前記気体入口手段が、前記前庭シールドの中央部分に接続されている、
請求項８に記載のマウスピース。
【請求項１０】  前記前庭シールドが柔軟な材料で形成され、
前記気体入口手段が、前記前庭シールドを形成するのに使用された柔軟な材料より曲がりにくい材料で形成されたチューブを備え、該チューブが前記前庭シールドに取付けられている、
請求項９に記載のマウスピース。
【請求項１１】  前記気体通路手段が、ユーザの口の中に気体を排出できるようにする気体出口手段を備えている、
請求項１ないし１０のいずれか１項に記載のマウスピース。
【請求項１２】  前記気体出口手段が、前記前庭シールドの中央部分に沿って設けられている、
請求項１１に記載のマウスピース。
【請求項１３】  前記気体通路手段が、前記マウスピースを気体供給装置に接続する気体入口手段を備えている、
請求項１１に記載のマウスピース。
【請求項１４】  前記気体出口手段が、前記気体入口手段と整列している、
請求項１３に記載のマウスピース。
【請求項１５】  前記気体入口手段と気体出口手段とが、前記前庭シールドの中央部分に接続されている、
請求項１４に記載のマウスピース。
【請求項１６】  前記気体出口手段が、ほぼ平坦にされた楕円形状であり、前記前庭シールドの内面から延びる管である、
請求項１１に記載のマウスピース。
【請求項１７】  前記ほぼ平坦にされた楕円形状の管が、上面と下面とを備え、
前記気体出口手段が、少なくとも前記上面および下面に一方に沿ったフランジを備え、
該フランジが前記前庭シールドから離れている、
請求項１６に記載のマウスピース。
【請求項１８】  前記ほぼ平坦にされた楕円形状の管が、上面と下面とを備え、
前記気体出口手段が、前記上面に沿って延び前記前庭シールドから離れている上方フランジと、前記下面に沿って延び前記前庭シールドから離れている下方フランジと、を備えている、
請求項１６に記載のマウスピース。
【請求項１９】  前記上方フランジが、前記気体出口手段の後端に隣接しており、
前記下方フランジが、前記気体出口手段の後端から離れ、湾曲している、
請求項１８に記載のマウスピース。
【請求項２０】  前記前庭シールドの外側部分が、複数のリブを備えている、
請求項１ないし１９のいずれか１項に記載のマウスピース。
【請求項２１】  前記リブが前記前庭シールドの外面に設けられている、
請求項２０に記載のマウスピース。
【請求項２２】  前記前庭シールドが柔軟な材料で形成されている、
請求項１ないし２１のいずれか１項に記載のマウスピース。
【請求項２３】  前記前庭シールドがほぼ平坦である、
請求項１ないし２２のいずれか１項に記載のマウスピース。
【請求項２４】  前記外側部分の各々が、丸められた上縁および下縁を有している、
請求項１ないし２３のいずれか１項に記載のマウスピース。
【請求項２５】  前記隆起部分が、上方の歯と当接する上方当接部分と下方の歯と当接する下方当接部分とを備え、
前記下方当接部分は、前記前庭シールドの内面から前記上方当接部分より大きく隆起させられている、
請求項２または３に記載のマウスピース。
【請求項２６】  前記前庭シールドの内側から延びる舌部押下ガードを備えている、
請求項１ないし２５の何れか１項に記載のマウスピース。
【請求項２７】  前記舌部押下ガードは、下面が凹状とされ、前記前庭シールドの外側部分より曲がりにくい、
請求項２６に記載のマウスピース。
【請求項２８】  前記舌部押下ガードの上面から突出する、垂直に延びる１または２以上のスペーサを有する、
請求項２６また２７に記載のマウスピース。
【請求項２９】  前記気体通路が前記前庭シールドの材料よりも実質的に曲がりにくい材料のインサートにより形成され、
前記インサートが前記前庭シールドを貫通して延び、
前記舌部押下ガードが前記舌部押下ガードのための硬い背骨部を形成する前記インサートの延長部を有する、
請求項２６ないし２８のいずれか１項に記載のマウスピース。
【手続補正２】
【補正対象書類名】明細書
【補正対象項目名】００１０
【補正方法】変更
【補正の内容】
【００１０】
【課題を解決するための手段】
本発明によれば、
内面と外面とを有し略矩形の前庭シールドを備えユーザの口腔に気体を搬送するマウスピースであって、
前記前庭シールドが、ユーザの口腔前庭に位置決めされたときにユーザの歯および歯肉と重複するような所定高さを有し、
前記前庭シールドが、
前記前庭シールドの中央部分がユーザの唇と歯との間に位置決めされたときにユーザの前歯と歯肉を覆って延びる中央部分と、
該記中央部分から延び、前記前庭シールドの外側部分がユーザの頬と歯との間に位置決めされたときにユーザの後方歯および歯肉の少なくとも一部に沿って延在しこれと重複する外側部分とを有し、
前記マウスピースが、前記前庭シールドの外面から前記前庭シールドの内面まで延び、前記マウスピースを通って気体が通過するのを許容する気体通路手段を備え、
前記前庭シールドが、使用中、ユーザの口の唇および／または頬の内壁をシールする、
ことを特徴とするマウスピース、
が提供される。
【手続補正３】
【補正対象書類名】明細書
【補正対象項目名】００１１
【補正方法】削除
【補正の内容】